(57)【要約】      （修正有）【課題】失敗の危険性を低減し、材料調達を容易に行うことができるクラフト支援システムを提供する。【解決手段】背景用シートに関する背景情報Ｓ１が入力される背景情報入力部１１と、背景情報に対応づけた状態で背景用の画像データが保持される背景情報保持部１２と、背景情報の入力を受け取得した画像データＤ１を画面に表示させる背景作成部１３からなる背景選択システム１０と、背景図の上に表示する素材に関する素材情報Ｓ２が入力される素材情報入力部２１と、素材情報と対応づけた状態で画像データが保持される素材情報保持部２２と、素材候補領域から選択された素材情報を画像データと対応づけて取得し画面に表示させる素材作成部２３からなる素材選択システム２０と、使用材料に関する材料情報Ｄ３を素材情報に対応づけた状態で保持される材料情報保持部３１と、素材情報の入力を受けて材料情報を画面に表示させる材料調達支援システム５０を有する。【選択図】図１
2014081901.tif 000002
【特許請求の範囲】
【請求項１】
背景用シート（３）に関する背景情報（Ｓ１）が入力される背景情報入力部（１１）と、複数の背景情報に対応づけた状態で背景用の画像データが保持される背景情報保持部（１２）と、前記背景情報（Ｓ１）の入力を受けて、前記背景情報保持部（１２）から画像データ（Ｄ１）を取得して、背景図（Ａ）として画面（６）に表示させる背景作成部（１３）と、からなる背景選択システム（１０）と、
前記背景図（Ａ）の上に表示しようとする素材（４）に関する素材情報（Ｓ２）が入力される素材情報入力部（２１）と、複数の素材情報と対応づけた状態で素材用画像データが保持される素材情報保持部（２２）と、前記素材用画像データが表示された素材候補領域（２４）から選択された前記素材情報（Ｓ２）を、前記素材情報保持部（２２）の画像データと対応づけることで取得し、素材図（Ｂ）として画面（６’）に表示させる素材作成部（２３）と、前記素材情報（Ｓ２）の入力を受けて、前記素材図（Ｂ）のコピーを作成して移動可能とする素材選択システム（２０）と、
素材（４）を前記背景用シート（３）に表示させる際に使用する材料に関する材料情報が、前記複数の素材情報に対応づけられた状態で保持される材料情報保持部（３１）を有し、前記素材情報（Ｓ２）の入力を受けて前記材料情報保持部（３１）から材料情報（Ｄ３）を取得して画面（６’）に表示させる材料調達支援システム（５０）と、
を含んで構成されたことを特徴とするクラフト支援システム。
【請求項２】
前記材料情報（Ｄ３）は、前記材料の種類を特定するための商品情報と、当該商品の価格に関する価格情報と、に対応づけられた状態で、前記材料情報保持部（３１）に保持されると共に、初期値の入力された会計表示領域（４１）が画面（６’）に設けられ、前記素材情報（Ｓ２）が入力された際に、該素材情報（Ｓ２）に基づいて、前記材料情報保持部（３１）から価格情報を取得し、先に表示されている数値に加算して前記会計表示領域（４１）に表示することを特徴とする請求項１に記載のクラフト支援システム。
【請求項３】
前記背景情報（Ｓ１）を、背景用シートの種類を特定するための商品情報と、当該商品の価格を特定するための価格情報とに対応づけた状態で、前記材料情報保持部（３１）に保持させると共に、該背景情報（Ｓ１）に基づいて、該材料情報保持部（３１）から価格情報を取得し、先に表示されている数値に加算して前記会計表示領域（４１）に表示することを特徴とする請求項２に記載のクラフト支援システム。
【請求項４】
前記材料調達支援システム（５０）は、前記背景情報（Ｓ１）及び前記素材情報（Ｓ２）の入力が終了したことを示す完了情報（Ｓ４）が入力された際に、画面（６’）に表示された前記材料情報を含むショップの販売商品に関する販売情報（Ｄ５）を購買用の画面に表示し、注文商品を特定するための購入商品情報（Ｓ５）の入力を受けて、ショップ（９）に向けての発注情報（Ｓ６）作成し、送出するように構成されたことを特徴とする請求項１〜請求項３のいずれか１つの請求項に記載のクラフト支援システム。
【請求項５】
前記素材（４）は、所定形状にシート材を打ち抜くことができるパンチ（９）によって形成される図形であり、前記背景図（Ａ）を打ち抜いて形成される型抜き作品とするか、打ち抜かれた素材用シート材を前記背景図（Ａ）に貼り付けて形成される貼付け作品とするかを選択させ、貼付け作品とする旨の前記素材情報（Ｓ２）が入力された際に、前記素材用シート材の形状及び色彩の選択を促すように構成されたことを特徴とする請求項１〜請求項４のいずれか１つの請求項に記載のクラフト支援システム。
【請求項６】
穿ち抜かれた図形部と、該図形部の残部の何れを使用するかを選択させるように構成されたことを特徴とする請求項５に記載のクラフト支援システム。
【請求項７】
前記素材（４）は、所定形状にシート材を打ち抜くことができるパンチ（９）によって形成される図形であり、前記背景図を打ち抜いて形成される型抜き作品とするか、打ち抜かれた素材用シート材を前記背景図に貼り付けて形成される貼付け作品とするかを選択させ、型抜き作品とする旨の前記素材情報（Ｓ２）が入力された際に、前記背景図（Ａ）を反転させるための反転指示情報の入力を可能とし、該反転指示信号の入力を受けて、前記背景図（Ａ）を反転させることを特徴とする請求項１〜請求項４のいずれか１つの請求項に記載のクラフト支援システム。
【請求項８】
前記素材（４）は、スタンプをシート材に押印することによって形成されるスタンプ図形であり、スタンプのインクを透明色とするか不透明色とするかの選択を促すインク情報入力部を画面上に表示し、透明色が選択された場合は、既に表示されている既表示素材との共通領域を、該既表示素材との混合色で表示するように構成したことを特徴とする請求項１〜請求項７のいずれか１つの請求項に記載のクラフト支援システム。
【請求項９】
前記背景用シート材（３）に素材（４）を配置する際の基準位置表示と、前記背景図（Ａ）と、を印刷するための印刷処理部を含んで構成されたことを特徴とする請求項１〜請求項８のいずれか１つの請求項に記載のクラフト支援システム。
【請求項１０】
前記背景図（Ａ）は、立体形状の展開図であり、折り曲げ線を示す表示と、折り曲げる順序を示す表示を含む手順情報が印刷されるように構成されたことを特徴とする請求項１〜請求項９のいずれか１つの請求項に記載のクラフト支援システム。
【発明の詳細な説明】
【技術分野】
【０００１】
本発明は、紙などのシート材を使用した工芸作品を作成するためのシステムに関し、特に、作品の完成状態を予想することができ、材料調達を容易にするためのクラフト支援システムに関する。
【背景技術】
【０００２】
ペーパークラフトなど手工芸の作品の作成を支援するためのシステムとして、例えば、特開２０１２−７３７７６号公報には、インターネットのコミュニティサイトやオンラインゲームサイトにおいて活動する仮想人物の模型を作成するためのシステムが提案されている。
紙を材料とする立体模型の製作に使用する展開図を提供するために、人形模型を構成する複数の素材（たとえば、体、顔、目、鼻、口、髪、洋服、アクセサリー）の夫々を複数の候補の中から選択させて入力させる素材情報入力部（アバター構成情報取得部）と、素材毎に対応させた状態でクラフト用画像データを保持する素材情報保持部（ペーパークラフト用画像データ保持部）と、素材情報入力部に入力された素材情報（アバター構成情報）にしたがって、素材情報保持部から、対応する素材のクラフト用画像データを読み出す画像情報読出部（ペーパークラフト用画像データ読出部）と、画像情報読出部により読み出された複数の素材のクラフト用画像データを、印刷用フォームにマッピングし、人形模型を作成するための展開図にかかわる情報（展開図データ）を作成する展開図データ作成部と、からなるコンピュータシステムが提案されている。
【０００３】
このコンピュータシステムで作成された展開図データに基づいて、クラフト用紙に印刷を施すことにより、展開図が作成される。
【先行技術文献】
【特許文献】
【０００４】
【特許文献１】特開２０１２−７３７６６号公報
【発明の概要】
【発明が解決しようとする課題】
【０００５】
しかしながら、上記のシステムは、特殊な道具を必要としない作品作りの場合は効果的であるが、特殊な用紙や道具（パンチやスタンプなど）が必要な場合は、材料の入手が困難である場合が多い。
また、素材を選択するのみなので、規格化された作品しか制作することはできず、創作性を追求しようとする者の要求に応える事ができない。
特に、高価な材料を使用して作品を作成する場合にあっては、失敗を怖れて、紙を切ったり貼ったりする行為が慎重なものとなり、独創性の高い作品を作成することができなかった。
そこで、本発明は、高い創作性が要求される工芸作品作りにおいて、失敗の危険性を低減できると共に、材料の調達を容易に行うことができるクラフト支援システムの提供を目的とする。
【課題を解決するための手段】
【０００６】
上記課題を解決するために、本発明に係るクラフト支援システムは、背景用シートに関する背景情報が入力される背景情報入力部と、複数の背景情報に対応づけた状態で背景用の画像データが保持される背景情報保持部と、前記背景情報の入力を受けて、前記背景情報保持部から画像データを取得して、背景図として画面に表示させる背景作成部と、からなる背景選択システムと、前記背景図の上に表示しようとする素材に関する素材情報が入力される素材情報入力部と、複数の素材情報と対応づけた状態で素材用画像データが保持される素材情報保持部と、前記素材用画像データが表示された素材候補領域から選択された前記素材情報を、前記素材情報保持部の画像データと対応づけることで取得し、素材図として画面に表示させる素材作成部と、前記素材情報の入力を受けて、前記素材図のコピーを作成して移動可能とする素材選択システムと、素材を前記背景用シートに表示させる際に使用する材料に関する材料情報が、前記複数の素材情報に対応づけられた状態で保持される材料情報保持部を有し、前記素材情報の入力を受けて前記材料情報保持部から材料情報を取得して画面に表示させる材料調達支援システムと、を含んで構成されたことを特徴とするクラフト支援システム。
【０００７】
この場合、前記材料情報は、前記材料の種類を特定するための商品情報と、当該商品の価格に関する価格情報と、に対応づけられた状態で、前記材料情報保持部に保持されると共に、初期値の入力された会計表示領域が画面に設けられ、前記素材情報が入力された際に、該素材情報に基づいて、前記材料情報保持部から価格情報を取得し、先に表示されている数値に加算して前記会計表示領域に表示してもよい。
この場合、前記背景情報を、背景用シートの種類を特定するための商品情報と、当該商品の価格を特定するための価格情報とに対応づけた状態で、前記材料情報保持部に保持させると共に、該背景情報に基づいて、該材料情報保持部から価格情報を取得し、先に表示されている数値に加算して前記会計表示領域に表示してもよい。
【０００８】
また、前記材料調達支援システムは、前記背景情報及び前記素材情報の入力が終了したことを示す完了情報が入力された際に、画面に表示された前記材料情報を含むショップの販売商品に関する販売情報を購買用の画面に表示し、注文商品を特定するための購入商品情報の入力を受けて、ショップに向けての発注情報作成し、送出するように構成されたことを特徴とするものであってもよい。
また、前記素材は、所定形状にシート材を打ち抜くことができるパンチによって形成される図形であり、前記背景図を打ち抜いて形成される型抜き作品とするか、打ち抜かれた素材用シート材を前記背景図に貼り付けて形成される貼付け作品とするかを選択させ、貼付け作品とする旨の前記素材情報が入力された際に、前記素材用シート材の形状及び色彩の選択を促すように構成されたことを特徴とするものであってもよい。
【０００９】
この場合、穿ち抜かれた図形部と、該図形部の残部の何れを使用するかを選択させてもよい。
あるいは、前記素材は、所定形状にシート材を打ち抜くことができるパンチによって形成される図形であり、前記背景図を打ち抜いて形成される型抜き作品とするか、打ち抜かれた素材用シート材を前記背景図に貼り付けて形成される貼付け作品とするかを選択させ、型抜き作品とする旨の前記素材情報が入力された際に、前記背景図を反転させるための反転指示情報の入力を可能とし、該反転指示信号の入力を受けて、前記背景図を反転させてもよい。
【００１０】
また、前記素材は、スタンプをシート材に押印することによって形成されるスタンプ図形であり、スタンプのインクを透明色とするか不透明色とするかの選択を促すインク情報入力部を画面上に表示し、透明色が選択された場合は、既に表示されている既表示素材との共通領域を、該既表示素材との混合色で表示するように構成してもよい。
また、前記背景用シート材に素材を配置する際の基準位置表示と、前記背景図と、を印刷するための印刷処理部を含んで構成されたことを特徴とするものであってもよい。
この場合、前記背景図は、立体形状の展開図であり、折り曲げ線を示す表示と、折り曲げる順序を示す表示を含む手順情報が印刷されるようにしてもよい。
【発明の効果】
【００１１】
請求項１に係るクラフト支援システムは、背景用シートに関する情報と、背景図の上に表示しようとする素材に関する情報を入力することで、コンピュータ装置の画面上に表示された背景図上の所望の位置に素材をドラッグして完成予想図を作成することができる。
また、素材を背景用シートに表示させる際に使用する材料に関する情報が、画面上に表示されるので、ショップに対して商品を容易に注文することができる。
これによって、高い創作性が要求される工芸作品作りにおいて、失敗の危険性を低減できると共に、材料の調達を容易に行うことが可能となる。
【００１２】
請求項２に係るクラフト支援システムは、作品製作に必要な材料費が画面上に表示されるので、予算に制約のある作品作りの場合に便利である。
請求項３に係るクラフト支援システムは、背景用シートを購入しなければいけない場合に、それを含めた材料費が表示されるので便利である。
請求項４に係るクラフト支援システムは、作品製作に必要な材料を商店に出向かなくても入手できるので便利である。
【００１３】
請求項５に係るクラフト支援システムは、所定形状にシート材を打ち抜くことができるパンチによって、素材となる図形を形成することとし、背景図を打ち抜いて型抜き作品を形成するか、打ち抜かれた素材用シート材を背景図に貼り付けて貼付け作品を形成するかの選択を可能としたので、創作の幅が広がり、より独創性の高い作品を作成することができる。
請求項６に係るクラフト支援システムは、貼付け作品の場合、打ち抜かれた図形部と、該図形部の残部の何れを使用するかの選択が可能なので、創作性の幅が一層高いものとなる。
【００１４】
請求項７に係るクラフト支援システムは、所定形状にシート材を打ち抜くことができるパンチによって、素材となる図形を形成することとし、背景図を打ち抜いて型抜き作品を形成するか、打ち抜かれた素材用シート材を背景図に貼り付けて貼付け作品を形成するかの選択を可能としたので、創作の幅が広がり、より独創性の高い作品を作成することができる。型抜き作品の場合は、背景図を反転させた状態でパンチで打ち抜くので、左右対称の図形を形成することができ、創作の幅が広がる。
請求項８に係るクラフト支援システムは、背景図上の素材を、スタンプをシート材に押印することによって形成し、スタンプのインクを透明色とするか不透明色とするかの選択が可能なので、背景図を所望の色彩に着色する際の完成状態をシミュレートすることができる。
【００１５】
請求項９に係るクラフト支援システムは、素材を配置する際の基準位置表示と背景図とを印刷できるようにしたので、汎用されているクラフト用紙を使用して、コンピュータ装置上でシミュレートした作品を作成することができる。
請求項１０に係るクラフト支援システムは、背景図を立体形状の展開図とし、折り曲げ線を示す表示と、折り曲げる順序を示す表示を含む手順情報が印刷されるようにしたので、創作性の高い立体作品を容易に作成することができる。
【図面の簡単な説明】
【００１６】
【図１】本発明の実施形態に係るクラフト支援システムの構成を示すブロック図である。
【図２】上記クラフト支援システムによって作成される工芸作品を示す正面図である。
【図３】上記工芸作品を作成する道具として使用したクラフトパンチを示す斜視図である。
【図４】上記クラフトパンチの縦断面図である。
【図５】上記工芸作品の母材となる背景用シートに関する情報の入力画面を示し、（ａ）は入力を促す画面であり、（ｂ）は入力した後に表示される画面である。
【図６】背景用シートに関する情報が保持されるデータベースの構造を示し、（ａ）は背景情報に画像データが対応されて保持される状態、（ｂ）は背景情報の構造を示す説明図。
【図７】素材情報の入力画面を示す説明図であり、（ａ）は素材候補の中から所望のものの選択を促す状態を示し、（ｂ）は
【図８】素材用画像のデータベースの構造を示す説明図である。
【図９】素材を背景図上の所望の位置に配置する際の画面の状態を示す説明図であり、（ａ）は素材をクリックする前であり、（ｂ）はクリックして所望の位置にドラッグする状態を示す。
【図１０】素材の位置を決定する際の画面の状態を示す説明図であり、（ａ）は穿孔操作を行う旨の情報を入力する前であり、（ｂ）は入力後の状態を示す。
【図１１】材料情報に関するデータベースの構造を示す説明図である。
【図１２】素材の表現方法として逆アップリケが選択された状態の画面を示す説明図である。
【図１３】素材の表現方法として、背景用紙を裏返してパンチする逆型抜の方法を選択した場合の画面を示す説明図である。
【図１４】先に表示された図形に加えて、新たな図形を加える場合の画面の状態を示す説明図である。
【図１５】上記実施態様の変形例を示すブロック図である。
【図１６】上記変形例における購入画面を示す説明図であり、（ａ）は購入すべき商品を選択する際の状態を示し、（ｂ）は購入信号を入力する際の状態を示す。
【図１７】上記変形例において背景図形を印刷する際の画面の状態を示す説明図である。
【発明を実施するための形態】
【００１７】
本発明の好適な実施形態について、添付図面に基づいて説明する。なお、実施形態は以下の形態に限定されるものではなく、本発明の課題を解決しうるものであれば他の態様も実施可能である。
【００１８】
図１は、本発明の実施形態に係るクラフト支援システム１の構成を示すブロック図である。
このクラフト支援システム１は、紙などのシート材を使用して、図２に示すような工芸作品２を作成するにあたり、完成状態のシミュレートができ、材料調達の便宜を図るための支援システムである。
この作品は、母材としてのシート材（背景用シート３）の性状（形状、材質、色、模様など）を決定し、その上に素材４を表示することで完成されるものであるが、本実施形態においては、背景用シート３に素材を表示するための道具として、図３に示すようなクラフトパンチ５を使用する。
【００１９】
クラフトパンチ５は、図４に示すように、上面の操作部５ａを押し下げることで、その下に配設された穿孔刃５ｂが下降し、基台５ｃに設けられたスリット５ｄに挿入されたシート材を、下向きに設けられた刃先５ｅによって打ち抜くものである。ハウジングの下端に設けられた開口部５ｆから、刃先の設計状態に応じた所定の図形が穿孔片が抜け落ちるようになっている。
このクラフトパンチ５によってシート材に孔を開ける前に、コンピュータ装置の画面６の表示７に従い、ポインティングデバイスなどの入力手段８を介して、対話型の処理によって作品の完成状態をシミュレートすることによって、失敗することなく、創造性の高い作品を作製できるようにするためのものである。
【００２０】
本実施形態に係るクラフト支援システム１は、図１に示すように、背景選択システム１０と、素材選択システム２０と、材料表示システム３０と、会計システム４０と、を含んで構成される。
まず、背景選択システム１０について説明する。
【００２１】
背景選択システム１０は、背景情報入力部１１と、背景情報保持部１２と、背景作成部１３と、によって構成される。
背景情報入力部１１には、画面６上の表示７に従って、背景用シート３に関する背景情報Ｓ１が入力される。この場合の背景情報Ｓ１とは、作品２の母材となるシート材の形状・色・材質等に関する情報であり、それぞれ複数の候補を画面６の背景選択領域１４に表示し、その中から所望のものを選択させることで入力される（図５（ａ）を参照）。
【００２２】
背景情報保持部１２は、図６（ａ）に示すように、背景情報と対応づけた状態で背景用の画像データが保持される記憶領域である。背景情報は、図６（ｂ）に示すように、作成しようとする作品の形状を示す形状情報と、その色彩・模様・材質などを示す色彩情報と、が含まれており、夫々の性状を特定させることによって、選択の幅が広がるようにしている。
背景作成部１３は、背景情報入力部１１からの背景情報Ｓ１を受け、それをキーとして背景情報保持部１２を参照し、取得した画像データＤ１を背景図Ａとして画面６上の作業テーブル１５に表示させる（図５（ｂ）を参照）
【００２３】
。
次に、素材選択システム２０について説明する。
素材選択システム２０は、素材情報入力部２１と、素材情報保持部２２と、素材作成部２３と、によって構成される。
素材情報入力部２１には、素材選択用の画面６’の表示７に従って、背景図Ａの上に表示する素材４に関する素材情報Ｓ２が入力される。この場合、複数の素材候補を画面６’上の素材候補領域２４に表示し、その中から所望のものを選択させることで入力される（図７（ａ）を参照）。本実施形態における素材４とは、クラフトパンチ５で素材用シート材を穿孔することによって生成されるパンチ図形であり、背景用シート材３を直接打ち抜いた型抜き作品とするか、素材用紙を穿孔し、その穿孔片をアップリケとして背景用シート材３に貼り付けた貼付け作品（即ち、アップリケ）にするか、穿孔片の残部を貼り付けた貼付け作品（逆アップリケ）とするか、を選択させるための表現方法選択部２５が設けられている。
【００２４】
素材情報保持部２２には、複数の素材用画像データが、素材情報と対応づけられた状態で保持されている（図８を参照）。この場合、素材情報には、パンチの穿孔形状を示すパンチ情報と、その表現方法に関する表現情報と、が含まれており、型抜作品とする場合は、背景図Ａを反転させた状態で穿孔するか否か（逆型抜）に関する型抜情報が含まれ、アップリケにする場合は、その素材用紙の性状（形・色彩・材質など）、打ち抜いた穿孔片をアップリケとして使用するか残部を使用するか、それを反転させるか否か等に関する情報も含まれている。
【００２５】
素材作成部２３は、素材情報入力部２１からの素材情報Ｓ２を受け、それをキーとして素材情報保持部２２を参照し、取得した画像データＤ２を素材図Ｂとして背景図Ａの上に表示する。
この際、素材情報保持部２２を参照して取得された画像データＤ２を、まず、画面６上の素材表示領域（２６）に表示し、そのコピーを作成して移動可能とする（図９を参照）。
【００２６】
所望の位置に配置したのち、穿孔操作を行う旨の信号が、座標上の位置情報を入力することができる入力手段８によって入力されることで、その位置にコピーされた画像データＤ２を、素材図Ｂとして貼り付ける（図１０を参照）
次に、材料表示システム３０について説明する。
【００２７】
材料表示システム（３０）は、材料情報保持部（３１）と、材料表示作成部（３２）とによって構成される。
材料情報保持部３１は、背景情報及び素材情報に、その商品に関する材料情報Ｄ３を対応づけた状態で保持される。図１１（ａ）に示すように、材料情報Ｄ３には、その商品の名称、品番、価格等が含まれている。なお、素材情報の中にアップリケ情報が含まれる場合は、それに使用する用紙に関するデータベースを参照（図１１（ｂ）を参照）を参照して、該当する用紙の価格が取得される。
【００２８】
材料表示作成部３２は、背景情報Ｓ１や素材情報Ｓ３が入力された際に、それをキーとして材料情報保持部３１を参照し、その商品の名称・品番・価格等を、材料情報として画面６上に設けられた背景用及び素材用の材料表示領域３３、３４に表示する（図７（ｂ）を参照）。なお、これらの材料表示領域には、その材料の単価を表示するための価格表示部が設けられている。
【００２９】
表現方法として貼付け図形が選択された場合において、素材として同一図形が選択された場合は、選択の回数（即ち、コピーが作成される回数）を、素材用紙の必要枚数として、素材用紙枚数表示部３５に表示する。
次に、会計システム４０について説明する。
【００３０】
会計システム４０は、会計表示領域（４１）と、価格算出部（４２）と、価格情報保持部４３によって構成される。
会計表示領域４１は、画面６上の所定位置に設けられており、初期値として、例えば「０」が入力されている（図５を参照）。
【００３１】
価格算出部４２は、素材情報Ｓ１あるいは素材情報Ｓ２が入力された際に、当該情報に基づいて、価格情報保持部４３から価格に関する情報Ｄ４を取得し、先に表示されている数値に加算する。素材情報Ｓ２が入力される際には、背景図Ａの中の所望の位置に配置したのち穿孔操作を行う旨の信号が入力された際に、会計表示領域４１に表示されている値に加算される（図１０を参照）。
なお、価格情報保持部４３は、材料表示システム３０における材料情報保持部３２と兼用することができる。
【００３２】
同一の素材が選択された場合は、二度目以降のパンチ価格は加算されないようになっている。その際に、表現情報としてアップリケ情報が入力される場合は、素材用の用紙の価格のみを加算する。
画面６には、背景の選択、及び素材の選択・配置が完了したことを示すための完了情報入力部４４が設けられており、素材の選択・配置が終了したことを示す素材配置完了情報Ｓ４の入力を受けて、作業テーブル１５に、作品の完成状態を示す完成図が表示される。完成図は、正面図のみならず、背面図、斜視図が表示されるようにしてもよい。
【００３３】
上記構成のクラフト支援システム１の使用状態を説明する。
図５（ａ）の状態の初期画面において、背景情報入力部１１に、背景情報Ｓ１を入力する。この場合、作品２の母材となる背景用シート３の候補として、背景選択領域１４に表示された形状・色彩の中から、所望のものを選択する。
すると、その背景情報Ｓ１が背景作成部２３に送出され、その情報に基づいて、背景情報保持部１２から、対応する画像データＤ１が取得され、それが背景図Ａとして画面６の作業テーブル１５に表示される（図５（ｂ）を参照）。
【００３４】
入力された背景情報Ｓ１は、材料表示システム３０と会計システム４０とにも送出され、以下の処理がなされる。
材料表示システム３０では、入力された背景情報Ｓ１に基づいて、材料情報保持部３１から自己の商品情報（商品名・商品番号・価格）を取得し、背景用の商品情報表示部３３に表示される。会計システム４０においては、価格情報保持部４３から、その商品の価格に関する情報を取得し、会計表示領域４１の初期値に加算して表示する。
【００３５】
完了情報入力部４４に、背景用シート２の選択が完了した旨の完了信号Ｓ４が入力されると、図７に示すように、素材を選択・配置するための画面６’が現れる。
この素材選択用の画面６’は、作業テーブル１５に表示された背景図Ａを残した状態で、背景選択領域１４に代わって、素材候補領域２４が現れたものとしてもよい。
素材候補領域２４に表示された素材候補のうち、所望のものを選択し、さらにその表現方法を選択する（図７（ａ）を参照）。これによって、素材情報Ｓ２が作成され、その情報が、素材作成部２２と、材料表示システム３０と、会計システム４０とに送出される。
【００３６】
素材４の表現方法としては、背景図Ａに直接穿孔を施した型抜き作品（型抜）とするか、素材用紙を穿孔し、その穿孔片をアップリケとして背景図Ａに貼り付けた貼付け作品にするかの選択ができるが、型抜き作品が選択された場合は、穿孔された状態の画像データＤ２が取得され、それが素材表示部２６に表示され、さらにその素材を作成するのに必要な材料（すなわち、パンチ）の名称・品番・価格が、素材用の材料表示領域３４に表示される（図９（ａ）を参照）。穿孔操作を行う旨の信号が入力された際には、会計表示領域４１に表示されている数値に、その素材を形成するための道具（即ち、パンチ）の価格が加算される（図１０（ｂ）を参照）。
【００３７】
一方、貼付け作品が選択された場合は、穿孔片をアップリケとして使用するか、その残部を逆アップリケとして利用するかの選択を求め、更に素材用紙の選択を求める。アップリケや逆アップリケを反転又は回転させることを求めることもできる。
それらの情報を含む素材情報Ｓ２に基づいて、素材情報保持部２２から画像データＤ２’が取得され、背景図Ａの上に表示される（図１２を参照）。その際、素材用紙の枚数を示す表示が素材用紙枚数表示部３５に表示されると共に、会計表示領域４１には、パンチの価格に加えて、素材用用紙の価格が加算される。
【００３８】
素材作成部２３では、素材表示部２６において使用素材をクリックする等、所定の入力信号を受けて、その素材用画像データＤ２のコピーＤ２を作成し、移動可能とする。その移動可能な画像を所望の位置にドラッグすることによって、素材図Ｂが作成される（図９を参照）。
型抜き作品とする場合において、背景図Ａを反転させた状態で穿孔する旨の逆型抜情報が含まれる場合は、図１３に示すように、反転状態の素材用画像データＤ２’が素材表示部２６に表示され、それを所望の位置に移動させることで、反転した状態の素材図が表示される。
【００３９】
先に表示された図形に加えて、新たな図形を加えた場合、図１４に示すように、新たな素材表示部２６’に、その画像データが表示され、それを移動させることによって、背景図Ａ上に表示される。その際、素材用の材料表示領域３４には、新たに使用するパンチを特定するための商品名称・品番・価格等が表示され、その価格が会計表示領域４１の値に加算される。
このような作業を繰り返し、作品が完成した際には、完了情報入力部４４をクリックする。それによって、完成図が作成される。
【００４０】
なお、本発明は、背景用シート２に関する背景情報Ｓ１が入力される背景情報入力部１１と、背景情報と対応づけた状態で背景用の画像データＤ１が保持される背景情報保持部１１と、その背景情報Ｓ１の入力を受けて、背景情報保持部１１から画像データＤ１を取得して、背景図Ａとして画面６に表示させる背景作成部１３と、からなる背景選択システム１０と、背景図上に表示しようとする素材に関する素材情報Ｓ２が入力される素材情報入力部２１と、素材情報と対応づけた状態で素材用画像データＤ２が複数保持される素材情報保持部２２と、複数の素材用画像データＤ２が表示される素材候補領域２４から選択された素材情報Ｓ２を、素材情報保持部２２の画像データＤ２と対応づけることで取得し、素材図Ｂとして素材表示部２６に表示させる素材作成部２３と、その情報Ｓ２の入力を受けて、素材図のコピーを作成して移動可能とする素材選択システム２０と、素材情報Ｄ２と対応づけた状態で材料情報Ｄ３が保持される材料情報保持部３１を有し、素材情報Ｓ２の入力を受けて前記材料情報を画面６上に表示させる材料調達支援システム５０と、を有するものであればよく、上記会計システム４０は必ずしも必要ではない。
【００４１】
また、背景情報Ｓ１に関する材料表示も必ずしも必要ではない。
さらに、上記実施形態において、クラフト作成が終了したことを示す完了情報Ｓ４が入力された際に、少なくとも選択された材料を含む、各種商品情報が表示された購買画面６”が表示され、その中から購入希望の商品に関する情報（購入商品情報Ｓ５）の入力を受けて、ショップ９に向けて発注情報Ｓ６を送出する商品発注システム６０を含んでもよい。この場合の商品発注システム６０は、ショップ９の取扱商品に関する商品情報データベースが保持された購買情報保持部６１を備え、材料表示システム３０における材料情報が反映された販売情報６２を含む領域６３に、それ以外にショップ９で購入可能な商品を表示した領域６４を含めた購入画面６５を表示するための購入画面作成部６６を有する。
【００４２】
販売情報６２の表示領域６３のうち、素材用紙の枚数表示部６７には、選択された用紙の種類と枚数が表示されるようになっており、それを修正することによって購入すべき用紙の選択が可能となる。クラフトパンチ５が不要な場合は、その表示を削除する。
このようにして入力された購入商品情報Ｓ５の確認を促した後、図１６（ｂ）に示すように、購入信号部６８を介して購入信号が入力されると、発注情報作成部６９によって発注情報Ｓ６が作成され、ショップ９に送出される。
【００４３】
さらに、素材は、スタンプをシート材に押印することによって生成されるスタンプ図形としてもよい。この場合、素材情報には、スタンプの種類を特定する情報に加え、スタンプの使用インクを透明色とするか不透明色とするかを特定する情報が存在する。上記実施形態と同様の素材選択画面において、インクの種類（色や透明さ）を選択するための領域が加わる。表示方法は、ポップアップ式、プルダウン式など周知の態様を採用することができる。インクの種類が不透明色の場合は、前記実施形態におけるパンチの型抜きと同様のシステムで完成状態をシミュレートし、材料調達の支援を行うようにできる。透明色の場合は、インクの色の混合状態を表示するようにする。
【００４４】
さらにまた、図１７に示すように、背景図形を印刷するようにしてもよい。この場合、印刷処理システム７０は、素材を配置するための基準位置表示Ｃを印刷するように構成された基準位置作成部７１と、その作成の手順を表示するための作成方法表示部７２とを有し、それによって作成された印刷用の画像情報７３を画面の印刷状態確認領域７４に表示するようにしてもよい。そして、印刷を実行する旨の情報の入力を受けて、印刷情報作成部７５がプリンタに対する印刷情報Ｓ８を作成し、送出するようにしてもよい。
この場合、背景図が、立体の展開図として提供される場合には、折り曲げ線を示す表示と、折り曲げる順序を示す表示を含む手順情報が印刷されるようにしてもよい。
【産業上の利用可能性】
【００４５】
本発明は、あらゆる素材の工芸作品を作成するための支援システムとして、あらゆる産業分野において適用することができる。
【符号の説明】
【００４６】
１・・・クラフト支援システム
２・・・カード（作品）
３・・・背景用シート
４・・・素材
５・・・クラフトパンチ（材料）
６・・・画面
７・・・表示
８・・・入力手段
９…ショップ
１０・・・背景選択システム
１１・・・背景情報入力部
１２・・・背景情報保持部
１３・・・背景作成部
１４・・・背景選択領域
１５・・・作業テーブル
２０・・・素材選択システム
２１・・・素材情報入力部
２２・・・素材情報保持部
２３・・・素材作成部
２４・・・素材候補領域
２５・・・表現方法選択部
２６・・・素材表示領域
３０・・・材料表示システム
３１・・・材料情報保持部
３２・・・材料表示作成部
３３・・・背景用の材料表示領域
３４・・・素材用の材料表示領域
３５・・・素材用紙枚数表示部
４０・・・会計システム
４１・・・会計表示領域
４２・・・価格算出部
４３・・・価格情報保持部
４４・・・完了情報入力部
５０…材料調達支援システム
６０…商品発注システム
６１…購買情報保持部
６２…販売情報
６３…表示領域
６４…ショップで購入可能な商品を表示した領域
６５…購入画面
６６…購入画面作成部
６７…素材用紙の枚数表示部
６８…購入信号部
６９…発注情報作成部
７０…印刷処理システム
７１…基準位置作成部
７２…作成方法表示部
７３…印刷用の画像情報
７４…印刷状態確認領域
７５…印刷情報作成部
【図１】
2014081901.tif 000003
【図２】
2014081901.tif 000004
【図３】
2014081901.tif 000005
【図４】
2014081901.tif 000006
【図５】
2014081901.tif 000007
【図６】
2014081901.tif 000008
【図７】
2014081901.tif 000009
【図８】
2014081901.tif 000010
【図９】
2014081901.tif 000011
【図１０】
2014081901.tif 000012
【図１１】
2014081901.tif 000013
【図１２】
2014081901.tif 000014
【図１３】
2014081901.tif 000015
【図１４】
2014081901.tif 000016
【図１５】
2014081901.tif 000017
【図１６】
2014081901.tif 000018
【図１７】
2014081901.tif 000019